(57)【要約】 【課題】構造が簡単であって、且つ、演出を行っていない状態でも見栄えがよく遊技者の興趣を削ぐことがない遊技機の演出装置を提供する。【解決手段】遊技盤の盤面に備えられた変動図柄表示装置の表示画面の前に配置され、発光体が含有された透明又は半透明の発光板１と、発行板１の側方に配置され、発光体を励起して蛍光を発せさせる紫外線の照射光源Ａ〜Ｅとを備えており、前記発光体は、希土類錯体と有機色素との何れか一方又は双方からなる遊技機の演出装置。照射光源Ａ〜Ｅにより表示画面における入賞ラインａ〜ｅを変動表示させて、遊技の興趣を盛り上げる。【選択図】図１
2008125538.tif 000002
【特許請求の範囲】
【請求項１】
遊技盤の盤面に備えられた後ろ側表示手段の前に配置され、発光体が含有された透明又は半透明の発光板と、
前記発光板の側方に配置され、前記発光体を励起して蛍光を発せさせる紫外線の照射光源とを備えており、
前記発光体は、希土類錯体と有機色素との何れか一方又は双方からなることを特徴とする遊技機の演出装置。
【請求項２】
後ろ側表示手段の前に、異なる色彩を発する発光板を複数枚積層して配置した請求項１に記載の遊技機の演出装置。
【請求項３】
後ろ側表示手段を変動図柄表示装置として、この変動図柄表示装置の入賞ラインを変動表示可能に、照射光源を複数配置した請求項１又は２に記載の遊技機の演出装置。
【請求項４】
照射光源を上下又は左右又は前後方向に移動可能とした請求項１〜３の何れかに記載の遊技機の演出装置。
【請求項５】
照射光源からの紫外線を反射するミラーと、ミラー若しくは照射光源を移動させる駆動源とを備えた請求項１〜４の何れかに記載の遊技機の演出装置。
【請求項６】
発光板の内部に、発光体を文字と図柄とのいずれか一方又は双方を描いて含有させた請求項１〜５の何れかに記載の遊技機の演出装置。
【請求項７】
発光板の内部に、発光体を３次元状に分布して含有させた請求項１〜６の何れかに記載の遊技機の演出装置。
【請求項８】
発光板の表面に、ＵＶカットのコーティングまたはシールを施した請求項１〜７の何れかに記載の遊技機の演出装置。
【発明の詳細な説明】
【技術分野】
【０００１】
本発明は、遊技の興趣を盛り上げるための遊技機の演出装置に関するものである。
【背景技術】
【０００２】
パチンコ機、スロットマシン、パチスロ機等の遊技機においては、遊技の興趣を盛り上げるための種々の演出装置が用いられている。例えば、特許文献１には、複数の図柄が回転し所定の図柄が入賞ラインに揃うと遊技者に対して利益が与えられる変動図柄表示装置と連動して、入賞ラインを変動表示する演出装置が開示されている。この演出装置は、変動図柄表示装置の前面に透明板を設け、その透明板には入賞ライン形成用の溝を形成したうえに、透明板の側面には光源を備えてある。そして、側面からの光が溝によって前面に向かって照射され、遊技者は入賞ラインの発光を視認することができるので、これによって遊技の演出を行うことができる。
【０００３】
また、特許文献２には、非演出時には透明で背後に設けられた図柄等を遊技者からは視認できるが、演出時には図柄を表示する透明ＥＬＤを用いた演出装置が開示されている。
【０００４】
しかしながら、特許文献１のものにおいては、透明板に溝を設けているために、入賞ラインの演出を行っていない状態、即ち光の照射によって入賞ラインを浮き上がらせていない状態では、遊技者が溝の形状、影を視認することとなって見栄えが悪いという問題があった。
【０００５】
また、特許文献２の透明ＥＬＤを用いたものにおいては、構造が複雑になってコストが上昇するという問題があった。
【特許文献１】特開２００３−１０２９６６号公報  （図７）
【特許文献２】特開２００４−０５７４７３号公報  （図２）
【特許文献３】特開２００３−０８１９８６号公報  （図１）
【発明の開示】
【発明が解決しようとする課題】
【０００６】
本発明は、上記した従来の問題点に鑑み、構造が簡単であって、且つ、演出を行っていない状態でも見栄えがよく遊技者の興趣を削ぐことがない遊技機の演出装置を提供することを課題とする。
【課題を解決するための手段】
【０００７】
上記の課題を解決するためになされた本発明の遊技機の演出装置は、遊技盤の盤面に備えられた後ろ側表示手段の前に配置され、紫外線の照射により発光する発光体が含有された透明又は半透明の発光板と、
前記発光板の側方に配置され、発光体を励起して蛍光を発せさせる紫外線の照射光源とを備えており、
前記発光体は、希土類錯体と有機色素との何れか一方又は双方からなることを特徴とするものである。
【０００８】
上記した発明において、後ろ側表示手段の前に、異なる色彩を発する発光板を複数枚積層して配置することができるし、
後ろ側表示手段を変動図柄表示装置として、この変動図柄表示装置の入賞ラインを変動表示可能に、照射光源を複数配置することができる。
また、照射光源を上下又は左右に移動可能として配置することができるし、
照射光源からの照射光を反射するミラーと、ミラー若しくは照射光源を移動させる駆動源とを備えることができる。
【０００９】
また、発光板の内部に、発光体を文字と図柄とのいずれか一方又は双方を描いて含有させることができるし、
発光板の内部に発光体を３次元状に分布して含有させることができるし、
発光板の表面に、ＵＶカットのコーティングまたはシールを施すこともできる。
【発明の効果】
【００１０】
本発明の遊技機の演出装置は、紫外線の照射時のみにその照射方向に沿って入賞ラインが表示されるので、発光板に溝を形成する必要がなく、したがって、非演出時の見栄えを良好に保つことができる。また、透明な発光板に文字や図柄が浮き上がったりするので、遊技の興趣を盛り上げることができる。
【発明を実施するための最良の形態】
【００１１】
以下に、本発明の実施形態を詳細に説明する。
図１〜３に、第１の実施形態の演出装置を示す。この演出装置は図示を省略した遊技盤の盤面中央に配設されている。図において、１は透明又は半透明樹脂製の発光板であり、この発光板１は支持枠２に螺着されている。支持枠２の背面には、変動図柄表示装置３が配設され、この変動図柄表示装置３は、発光板１の後ろ側表示手段である表示画面３１を備えている。表示画面３１においては、複数の図柄が変動表示されて所定の状態に揃ったときに、所謂大当たりとしての特別遊技状態を発生させたりすることができる。
【００１２】
図１において、発光板１の右側には、一方向に光を発することができる点光源である照射光源Ａ、Ｂ、Ｃが配置され、発光板１の下側コーナー近傍には照射光源Ｄ、Ｅが配置されている。照射光源Ａ、Ｂ、Ｃは水平方向に３列の入賞ラインａ、ｂ、ｃを表示し、照射光源Ｄ、Ｅは、斜め方向の入賞ラインｄ、ｅを表示するためのものである。照射光源Ａ〜Ｄが切り替わり点灯されることにより、入賞ラインａ〜ｅを切り替え表示して、遊技の興趣を盛り上げることができる。
【００１３】
また、発光板１の左側には、上下方向に移動可能な照射光源Ｆが配設されている。この照射光源Ｆは、支柱５１に摺動可能に装着され、モータ５２の駆動によりネジ棒５３が回転されることにより昇降することができる。したがって、光の透過ラインｆを昇降させて表示画面３１の前を装飾することができる。なお、照射光源Ｆを左右に移動可能なものとするもともできる。
【００１４】
照射光源Ａ〜Ｆとして、紫外線を発するブラックライト、ＬＥＤ、またはレーザー等を使用することができる。紫外線を発することができれば、可視光を同時に発するものであっても、特に差し支えはない。しかし、入賞ライン表示を行うためには、点光源でかつ直進性に優れた照射光源であることが必要なため、レーザーまたは指向特性の狭いＬＥＤが望ましい。
【００１５】
発光板１においては、発光体を板全体に均一に分散させることができるし、発光板１の一部にのみ発光体を含有させたり、濃度分布を持たせて発光板１中に分散させることもできる。樹脂に含有させる発光体の量は、０．３〜２ｗｔ％とするのが適当である。発光体である希土類錯体又は有機色素の種類によって、また、複数の発光体の混合比を変えて使用することにより、青、赤、黄やオレンジ、黄緑、青緑など種々な色で発光させることができる。
【００１６】
発光体として、ユウロピウム系錯体（Ｅｕ（ｈｆａ）３（ＴＰＰＯ）２）、テルビウム系錯体（Ｔｂ（ｈｆａ）３（ＴＰＰＯ）２）などの希土類錯体を用いることができる。ユウロピウム系錯体を用いたばあいには、ブラックライト（発光波長３６５ｎｍ）を照射光源とすることにより発光板１を赤色に発光させ、テルビウム系錯体を用いた場合には、ブラックライトにより緑色に発光させることができる。希土類錯体は、配位子や希土類原子の違いによって、赤、緑、黄などに発光させることができる。
【００１７】
有機色素としては、オリゴフェニレン系、クマリン系、オキサゾール系、キサンテン系などを使用することができる。クマリン系色素を用いた場合は、紫外線を照射することにより、青または赤色に発光させることができる。
【００１８】
樹脂としては、エポキシ樹脂、アクリル樹脂、ポリビニルアルコール、ポリシロキサン等のような、硬化後に透明度の高いものを用いることが望ましい。これにより、発光が樹脂を十分透過し、発光板１全体を美しく発光させることができる。また、半透明の樹脂も、十分発光を視認することが可能である。発光板１は、例えば型に発光体を分散させた樹脂を注入し硬化させることにより、成形することができる。
【００１９】
以上の実施形態において、異なる色を発光する発光板１を複数枚積層することができる。この場合、各発光板１に対応させて複数の照射光源を配置しておき、それらの照射光源を切り替えて発光させることにより、同じ入賞ラインにおいても異なる色彩で表示することができる。また、積層方向に照射光源やミラーを移動させることによっても、表示色を変動させることができる。なお、発光板１には紫外線から遊技者の眼を保護するために、ＵＶカットのコーティングまたはシールを施すことができる。
【００２０】
図４、５には、第２の実施形態の演出装置を示す。この形態のものも、発光板１と支持枠２と変動図柄表示装置３とからなる点において、既記したものと変わるところはないが、発光板１の一側には、線光源としての照射光源Ｇが上下方向に伸びて配設されている。発光板１の内部には文字を描いて発光体が含有されているので、特別遊技状態になったときに照射光源Ｇから紫外線を発すれば、この文字を遊技者に視認可能に浮かび上がらせることができる。なお、発光体はほぼ無色であるために、照射光源Ｇから紫外線を照射していない状態では、遊技者が発光板１内に文字を視認することは困難である。
【００２１】
文字に替えてキャラクターなどの図柄を描くことができるし、又、文字と図柄の両方を描いてもよい。これらの文字や図柄は、平面的に描いてもよいが、発光体を３次元状に分散させて含有させれば、文字や図柄を立体的に浮かび上がらせることができるので、遊技の興趣をより盛り上げることができる。このような発光板１を製造する方法として、発光体を含有した樹脂材料と含有しない樹脂材料との２種類を用意し、異材質成形の方法を採用することが一例として考えられる。この場合、発光体を含有した樹脂材料を複数種類使用することによって、紫外線照射時に複数の色彩でもって文字や図柄を浮かび上がらせることができるので、より遊技者の興趣を増大させることができる。
【００２２】
第２の実施形態のものにおいても、図１０に示すように、発光される色彩、文字、図柄が異なる発光板１ａ、１ｂを複数枚積層することによって、異なる文字、図柄を表示することが可能となる。図１１は遮光板９により発光板１ｂのみが照射されて小さな「当たり！！！」の文字の形で発光する場合を示す。図１２は、遮光板９により発光板１ａと１ｂの両方が照射されて大きな「当たり！！！」と小さな「当たり！！！」の文字の形が重なって立体的に発光する場合を示す。図１３は、遮光板９により発光板１ａのみが照射されて大きな「当たり！！！」の文字の形で発光する場合を示す。また、遮光板９を動かして図１１〜１３を連続して切り替えることで「当たり！！！」の文字が大きくなったり小さくなったりしながら発光を繰り返すこともできる。このように遮光板９を回転させることで、遊技状態に合わせた様々なパターンの演出を行うことができる。
【００２３】
図６には、第３の実施形態の演出装置を示す。この形態のものにおいても、発光板１の一側に回転可能なミラー８が配置されていて、このミラー８は図示していない駆動源により回転される。ミラー８の横には、ミラー８に向けて紫外線を発する照射光源Ｂが配置されている。また、ミラー８の上方及び下方には、所定の角度傾けた固定ミラー８１、８２が配置されている。
【００２４】
以上の形態の演出装置においては、図７に示すように、ミラー８が水平状態に回転された場合には、照射光源Ｂの紫外線は直進して発光板１内に侵入するので、入賞ラインｂを発光表示することができる。そして、ミラー８が図８に示すように回転移動された場合には、紫外線は固定ミラー８１に向けて反射され、固定ミラー８１が再び紫外線を発光板１の方向に反射するので、入賞ラインａを発光表示することができる。また、ミラー８が図９に示すように回転された場合には、紫外線は固定ミラー８２に向けて反射され、固定ミラー８２が再び紫外線を発光板１の方向に反射するので、入賞ラインｃを発光表示することができる。ミラー８を回転不能なものとした場合においても、照射光源Ｂを回転等移動可能なものとすることによって、同様な効果を得ることができる。
【００２５】
以上に説明したように、本発明に係る演出装置は、紫外線の照射時のみに入賞ラインや図柄を表示することができる。したがって、非演出時においても見栄えがよく遊技の興趣を削ぐことがないという大きな効果を奏する。
【図面の簡単な説明】
【００２６】
【図１】第１の実施形態の演出装置の正面図である。
【図２】図１の演出装置の側面図である。
【図３】図１の演出装置の分解斜視図である。
【図４】第２の実施形態の演出装置の斜視図である。
【図５】図４の演出装置の分解斜視図である。
【図６】第３の実施形態の演出装置の正面図である。
【図７】ミラーの回転により入賞ラインｂを表示する演出装置の説明図である。
【図８】ミラーの回転により入賞ラインａを表示する演出装置の説明図である。
【図９】ミラーの回転により入賞ラインｃを表示する演出装置の説明図である。
【図１０】発光板を２枚積層した演出装置の分解斜視図である。
【図１１】遮光板の回転により上側の発光板１ａを発光させる状態の演出装置の平面図である。
【図１２】遮光板の回転により発光板１ａ、１ｂを同時に発光させる状態の演出装置の平面図である。
【図１３】遮光板の回転により下側の発光板１ｂを発光させる状態の演出装置の平面図である。
【符号の説明】
【００２７】
１  発光板、Ａ、Ｂ、Ｃ、Ｄ、Ｅ  照射光源、ａ、ｂ、ｃ、ｄ、ｅ  入賞ライン、
【図１】
2008125538.tif 000003
【図２】
2008125538.tif 000004
【図３】
2008125538.tif 000005
【図４】
2008125538.tif 000006
【図５】
2008125538.tif 000007
【図６】
2008125538.tif 000008
【図７】
2008125538.tif 000009
【図８】
2008125538.tif 000010
【図９】
2008125538.tif 000011
【図１０】
2008125538.tif 000012
【図１１】
2008125538.tif 000013
【図１２】
2008125538.tif 000014
【図１３】
2008125538.tif 000015